(57)【要約】      （修正有）【課題】一枚の方形ベース紙で構成され、表面に雑誌記事等が印刷され、裏面にポスターが印刷されていて、折り畳むことにより雑誌の体裁となり、展開することによりポスターとしての機能も果たし得るポスター兼用雑誌を提供する。【解決手段】方形のベース紙１の表面が折り目６〜９によって上段部３、下段部それぞれ４ページ分ずつに区画され、そのうちの１ページ区画に表紙が印刷され、別の１ページ区画に裏表紙が印刷され、残りの６ページ区画に記事が印刷され、前記ベース紙１の裏面３全体にポスターが印刷され、前記折り目に沿って１ページ分のサイズに折り畳むことによって形成される。【選択図】図３
0003223171.tif 000002
【実用新案登録請求の範囲】
【請求項１】
方形のベース紙の表面が折り目によって上段部、下段部それぞれ４ページ分ずつに区画され、そのうちの１ページ区画に表紙が印刷され、別の１ページ区画に裏表紙が印刷され、残りの６ページ区画に記事が印刷され、前記ベース紙の裏面全体にポスターが印刷され、前記折り目に沿って１ページ分のサイズに折り畳むことによって形成されることを特徴とするポスター兼用雑誌。
【請求項２】
前記表紙が前記上段部の右から２つ目のページ区画に印刷され、前記裏表紙が前記上段部の一番右のページ区画に印刷されていて、前記ベース紙の中央水平折り目が山折りされて前記上段部が表向きにされた第一折畳み状態が形成され、前記第一折畳み状態から中央垂直折り目が山折りされて右半部が表向きにされた第二折畳み状態が形成され、前記第二折畳み状態から前記第二折畳み状態における中央垂直折り目が山折りされて左半部が表向きにされた最終折畳み状態が形成され、前記最終折畳み状態の表面が前記表紙となり、最裏面が前記裏表紙となる、請求項１に記載のポスター兼用雑誌。
【請求項３】
印刷方向が上下逆の場合が含まれる、請求項２に記載のポスター兼用雑誌。
【請求項４】
前記表紙が前記下段部の右から２つ目のページ区画に印刷され、前記裏表紙が前記下段部の一番右のページ区画に印刷されていて、前記ベース紙の中央水平折り目が山折りされて前記下段部が表向きにされた第一折畳み状態が形成され、前記第一折畳み状態から中央垂直折り目が山折りされて右半部が表向きにされた第二折畳み状態が形成され、前記第二折畳み状態から前記第二折畳み状態における中央垂直折り目が山折りされて左半部が表向きにされた最終折畳み状態が形成され、前記最終折畳み状態の表面が前記表紙となり、最裏面が前記裏表紙となる、請求項１に記載のポスター兼用雑誌。
【請求項５】
印刷方向が上下逆の場合が含まれる、請求項４に記載のポスター兼用雑誌。
【請求項６】
前記方形ベース紙は、グロスニス加工されたものである、請求項１乃至５のいずれかに記載のポスター兼用雑誌。
【請求項７】
前記ポスターは、前記記事に関連するものである、請求項１乃至６のいずれかに記載のポスター兼用雑誌。
【請求項８】
前記記事中にテレビやラジオの番組表及び／又はスケジュール表を含み、前記ポスターに前記番組表又はスケジュール表に関連する人物又はキャラクターが印刷される、請求項１乃至７のいずれかに記載のポスター兼用雑誌。
【考案の詳細な説明】
【技術分野】
【０００１】
本考案は、ポスター兼用雑誌に関するものであり、より詳細には、表面に雑誌記事等が印刷され、裏面にポスターが印刷されていて、折り畳むことにより雑誌（小冊子）の体裁となるポスター兼用雑誌に関するものである。
【背景技術】
【０００２】
一枚の紙を折り畳んで雑誌状にする印刷物として、特開２０１７−１２７９８３号公報に記載の「蛇腹状の印刷物」が知られている。
【先行技術文献】
【特許文献】
【０００３】
【特許文献１】特開２０１７−１２７９８３号公報
【考案の概要】
【考案が解決しようとする課題】
【０００４】
上記「蛇腹状の印刷物」は、一枚の紙で蛇腹状の印刷物を構成することができ、即ち、製本の必要がなく、内側になる面に、種々情報等を掲載した印刷物を構成することができるものであるが、その場合は長尺の紙を用いるものであるため印刷上難があり、また、それは単に、一般雑誌のように関連記事やテーマが連続しているに過ぎず、裏面の有効活用が図られていない。
【０００５】
そこで本考案は、一枚の方形ベース紙で構成され、表面に雑誌記事等が印刷され、裏面にポスターが印刷されていて、折り畳むことにより雑誌の体裁となり、展開することによりポスターとして利用することができるポスター兼用雑誌を提供することを課題とする。
【課題を解決するための手段】
【０００６】
上記課題を解決するための請求項１に記載の考案は、方形のベース紙の表面が折り目によって上段部、下段部それぞれ４ページ分ずつに区画され、そのうちの１ページ区画に表紙が印刷され、別の１ページ区画に裏表紙が印刷され、残りの６ページ区画に記事が印刷され、前記ベース紙の裏面全体にポスターが印刷され、前記折り目に沿って１ページ分のサイズに折り畳むことによって形成されることを特徴とするポスター兼用雑誌である。
【０００７】
一実施形態においては、前記表紙が前記上段部の右から２つ目のページ区画に印刷され、前記裏表紙が前記上段部の一番右のページ区画に印刷されていて、前記ベース紙の中央水平折り目が山折りされて前記上段部が表向きにされた第一折畳み状態が形成され、前記第一折畳み状態から中央垂直折り目が山折りされて右半部が表向きにされた第二折畳み状態が形成され、前記第二折畳み状態から前記第二折畳み状態における中央垂直折り目が山折りされて左半部が表向きにされた最終折畳み状態が形成され、前記最終折畳み状態の表面が前記表紙となり、最裏面が前記裏表紙となる。この場合は右開きとなるが、印刷方向を上下逆にすることにより、左開きとすることができる。
【０００８】
一実施形態においては、前記表紙が前記下段部の右から２つ目のページ区画に印刷され、前記裏表紙が前記下段部の一番右のページ区画に印刷されていて、前記ベース紙の中央水平折り目が山折りされて前記下段部が表向きにされた第一折畳み状態が形成され、前記第一折畳み状態から中央垂直折り目が山折りされて右半部が表向きにされた第二折畳み状態が形成され、前記第二折畳み状態から前記第二折畳み状態における中間垂直折り目が山折りされて左半部が表向きにされた最終折畳み状態が形成され、前記最終折畳み状態の表面が前記表紙となり、最裏面が前記裏表紙となる。この場合は右開きとなるが、印刷方向を上下逆にすることにより、左開きとすることができる。
【０００９】
一実施形態においては、前記方形ベース紙は、グロスニス加工されたものとされる。
【００１０】
一実施形態においては、前記ポスターは、前記記事に関連するものである。また、前記記事中にテレビやラジオの番組表及び／又はスケジュール表を含み、前記ポスターに前記番組表又はスケジュール表に関連する人物又はキャラクターが印刷される。
【考案の効果】
【００１１】
本考案は上記のとおりであって、一枚の方形ベース紙で構成され、表面に雑誌記事等が印刷され、裏面にポスターが印刷されていて、折り畳むことにより雑誌の体裁となるものであるので、製本作業や綴じ作業が不要で廉価にて供給でき、雑誌として機能するだけでなく、読み終わった後にポスターとして利用することができるという効果がある。
【図面の簡単な説明】
【００１２】
【図１】本考案に係るポスター兼用雑誌を示す斜視図である。
【図２】本考案に係るポスター兼用雑誌の展開状態を示す裏面図である。
【図３】本考案に係るポスター兼用雑誌の展開状態を示す表面図である。
【図４】本考案に係るポスター兼用雑誌の第一折畳み状態を示す表面図である。
【図５】本考案に係るポスター兼用雑誌の第一折畳み状態から第二折畳み状態への移行を示した図である。
【図６】本考案に係るポスター兼用雑誌の第二折畳み状態から最終折畳み状態への移行を示した図である。
【図７】本考案に係るポスター兼用雑誌の最終折畳み状態を示した図である。
【図８】本考案に係るポスター兼用雑誌のポスター部を示した図である。
【考案を実施するための形態】
【００１３】
本考案に係るポスター兼用雑誌につき、添付図面を参照しつつ説明する。本ポスター兼用雑誌は、方形のベース紙１の表面２が折り目６〜９によって上段部３、下段部４それぞれ４ページ分ずつに区画され、そのうちの１ページ区画が表紙面１１とされて表紙が印刷され、別の１ページ区画が裏表紙面１２とされて裏表紙面１２が印刷され、残りの６ページ区画が記事用紙面１３〜１８とされて記事が印刷され、更に、ベース紙１の裏面５全体にポスターが印刷される。この場合、上段部３と下段部４では印刷方向が上下逆であり、折り目６〜９に沿って１ページ分のサイズに折り畳むことによって、図１に示されるような雑誌形態に仕上げられる。
【００１４】
通例、ベース紙１は長方形であり、それを横長にして使用する。このベース紙１は、印刷効果を高めるべく、グロスニス加工されていることが好ましい。グロスニス加工をすることで、印刷効果が向上し、印刷表面に光沢感が現われ、インク皮膜を保護して耐摩擦性が高められ、インクが落ちにくくなるという効果が得られる。
【００１５】
図１乃至図５は、本ポスター兼用雑誌の第一の実施形態を示すものであり、この第一の実施形態においては、表紙が上段部３の右から２つ目に配置される表紙面１１に印刷され、裏表紙が上段部３の一番右に配置される裏表紙面１２に印刷される。    
【００１６】
この場合の折り畳み方は以下のとおりとなる。
１）ベース紙１の中央水平折り目６が山折りされて、上段部３が表向きにされた第一折畳み状態が形成される（図４参照）。
２）上記第一折畳み状態から中央垂直折り目７が山折りされて、右半部が表向きにされた第二折畳み状態が形成される（図５参照）。
３）上記第二折畳み状態から、右半分の中間垂直折り目８と左半分の中間垂直折り目９とが合わさって山折りされ、左半部が表向きにされた最終折畳み状態が形成される（図１参照）。
【００１７】
上記最終折畳み状態において、表面が表紙面１１となり、最裏面が裏表紙面１２となり、残りのＡ紙面１３からＦ紙面１８の６紙面が記事用紙面となる。記事用紙面は、Ａ紙面１３が第１ページとなり、以下、Ｂ紙面１４、Ｃ紙面１５、Ｄ紙面１６、Ｅ紙面１７と続き、Ｆ紙面１８が最終の第６ページとなる。この場合は右開きとなるが、上段部３及び下段部４の印刷方向をそれぞれ上下逆にすることにより、左開きとすることができる。
【００１８】
この実施形態の場合、即ち、表紙面１１を開くと、右側にＡ紙面１３が現われ、左側にＢ紙面１４が現われる（第一折畳み状態の裏返し）。次いで、この第一折畳み状態の裏返し状態から左側のＢ紙面１４を折り返すと、Ｃ紙面１５とＦ紙面１８が現われる。そこでＣ紙面１５を摘まんで右側に引き延ばすと（あるいは、Ｃ紙面６を裏返すと）、Ｆ紙面１８と共にＤ紙面１６とＥ紙面１７が現われる。
【００１９】
なお、Ｂ紙面１４をＡ紙面１３上に折り返した段階において、Ｄ紙面７とＥ紙面８は隠れているため、Ｃ紙面１５とＦ紙面１８とを続き記事のページとし、Ｄ紙面１６とＥ紙面１７は別内容の記事のページ（例えば、他ページの掲載記事に関連するテレビやラジオの番組表、あるいは、他ページの記事に関連するイベントや催しのスケジュールの情報）とすることもできる。
【００２０】
図２は、本考案に係るポスター兼用雑誌のベース紙１の裏面５の展開状態図であり、そこに示されるように、裏面５にはポスターが印刷される。このように、本考案に係るポスター兼用雑誌は、ベース紙１の表面側に表紙面１１、裏表紙面１２及び記事用紙面１３〜１８を含み、裏面５の全体がポスター面となるので、記事を読み終えた後に、ポスターとして利用することができる。
【００２１】
例えば、本考案に係るポスター兼用雑誌をスポーツ関連雑誌とする場合、表紙面１１及び裏面５のポスターに、掲載記事に関連するスポーツ選手の写真を印刷し、Ａ紙面１３、Ｂ紙面１４、Ｃ紙面１５及びＦ紙面１８に当該スポーツ関連の記事を掲載し、Ｄ紙面１６に当該スポーツに関連するテレビやラジオの番組表を掲載し、Ｅ紙面１７に当該スポーツに関連する大会、イベント等の情報を掲載するといった配置が考えられる。
【００２２】
本考案の第２の実施形態においては、表紙面１１が下段部４の右から２つ目のページ区画に印刷され、裏表紙面１２が下段部４の一番右のページ区画に印刷される。この場合の折り畳み方は以下のとおりとなる。
１）ベース紙１の中央水平折り目６が山折りされて、下段部４が表向きにされた第一折畳み状態が形成される（図３参照）。
２）上記第一折畳み状態から中央垂直折り目７が山折りされて、右半部が表向きにされた第二折畳み状態が形成される（図４参照）。
３）上記第二折畳み状態から、右半分の中間垂直折り目８が山折りされて左半部が表向きにされた最終折畳み状態が形成される（図５参照）。
【００２３】
上記最終折畳み状態において、表面が表紙面１１となり、最裏面が裏表紙面１２となり、残りのＡ紙面からＦ紙面の６紙面が記事用紙面となる。記事用紙面は、Ａ紙面１３が第１ページとなり、以下、Ｂ紙面１４、Ｃ紙面１５、Ｄ紙面１６、Ｅ紙面１７と続き、Ｆ紙面１８が最終の第６ページとなる。この場合は右開きとなるが、上段部３及び下段部４の印刷方向をそれぞれ上下逆にすることにより、左開きとすることができる。
表紙面と裏表紙面が入れ替わり、１ページ目がＦ紙面、２ページ目がＣ紙面、３ページ目がＡ紙面、４ページ目がＢ紙面となり、Ｄ紙面７とＥ紙面８は表面に現れないブロックになる。
【００２４】
また、添付図面とは、上下反対となることも考えられる。上下反対の右開きの場合、添付図面の説明とは表紙面と裏表紙面が入れ替わり、１ページ目がＦ紙面、２ページ目がＣ紙面、３ページ目がＡ紙面、４ページ目がＢ紙面となり、Ｄ紙面とＥ紙面は表面に現れないブロックになり、上下反対の左開きの場合は、１ページ目がＢ紙面、２ページ目がＡ紙面、３ページ目がＣ紙面、４ページ目がＦ紙面となり、Ｄ紙面とＥ紙面は表面に現れないブロックになる。
【産業上の利用可能性】
【００２５】
本考案に係るポスター兼用雑誌は、ベース紙１の表面を表紙、裏表紙及び記事とし、ベース紙１の裏面をポスター部とすることで、掲載記事の情報を入手することができるだけでなく、読み終えた後でも、ポスターとして利用することができるという大きな効果があるため、産業上の利用可能性は大である。
【符号の説明】
【００２６】
１    ベース紙
２    折り目
３    ブロック
４    中央
５    中央
６    中央
７    ポスター部
【図１】
0003223171.tif 000003
【図２】
0003223171.tif 000004
【図３】
0003223171.tif 000005
【図４】
0003223171.tif 000006
【図５】
0003223171.tif 000007
【図６】
0003223171.tif 000008
【図７】
0003223171.tif 000009
【図８】
0003223171.tif 000010